(57)【要約】【課題】  上下対称形のデッキ材に固着用ねじをねじ込む時にねじが打ち抜く不都合及び斜めに貫通される不都合を回避する。【解決手段】  補強壁１５の上壁１１及び下壁１２と接続される部分にねじ３が貫通される空間１６側に張り出す肉厚増加部分１８ａ，１８ｂを形成した上下対称形のデッキ材１Ｅにおいて、上下の肉厚増加部分のねじが貫通される空間に臨む面に、ねじが貫通される線と交差する凹条１９を押出し成形により形成した。【選択図】      図１
2005256288.tif 000002
【特許請求の範囲】
【請求項１】
補強壁の上壁及び下壁と接続される部分にねじが貫通される空間側に張り出す肉厚増加部分を形成した上下対称形のデッキ材において、上下の肉厚増加部分のねじが貫通される空間に臨む面にねじが貫通される線と交差する凹条が押出し成形により形成されていることを特徴とするデッキ材。
【発明の詳細な説明】
【技術分野】
【０００１】
本発明は、建物のバルコニーやベランダ等の床部を構成するデッキ材に関する。
【背景技術】
【０００２】
図２は、ガーデンデッキ又はバルコニーにおける従来のデッキ材の形状を示す断面図、図３は図２におけるねじ貫通部分の拡大図である。従来のデッキ材１は、一般的に上壁１１と下壁１２と両側壁１３，１４を有するほか、上壁の耐荷重強度補強のためにデッキ材の幅方向中間位置において上壁１１と下壁１２を連結する一つ又は複数の補強壁１５を設けて、その補強壁により区画された空間１６を有するように押出し成形されていた。各空間１６の押出し成形方向に直角な面における断面積は、上壁の耐荷重強度の均一化及び押出し成形時の樹脂材料の流速の均一化のため、ほぼ等しくされている。
【０００３】
ガーデンデッキの大引又はバルコニーの根太等の支持部材２の上面に載置したデッキ材１を固着するには、デッキ材１のいずれかの補強壁の至近位置でねじ（又は釘。以下、同じ。）３を空間１６に貫通して支持部材２に固着していた。
【発明の開示】
【発明が解決しようとする課題】
【０００４】
上記従来のデッキ材においては、補強壁１５が垂直に形成されかつ上壁１１に対して直角に接続されている。また、ねじ３は上壁１１の補強壁１５との接続部から若干離れた位置において空間１６を貫通している。そして、ねじ３はデッキ上面歩行者の負傷の原因とならないように、図３に示すように、デッキ材上面から頭３１が突出しない皿ねじが使用されるため、上壁１１のねじ貫通部分には、ねじ頭嵌合用の倒立頭截円錐形部分１７ａとこれに続くねじ軸貫通用の垂直円形部分１７ｂとを有する孔１７が形成される。
【０００５】
上記ねじ貫通孔の形状によって、図３に示すように、上壁１１のねじ頭を実質的に支持する部分の肉厚が薄くなるため、そのねじ貫通孔の周囲の強度がかなり低下する。そのため、従来は、支持部材２に載せたデッキ材１の上方からねじ３をデッキ材に貫通して支持部材２にねじ込む最終段階において、ねじ貫通孔の周囲に撓みが生じたり、割れが生じたり、最悪の場合は、ねじ頭が上壁１１を打ち抜いたりすることが避けられなかった。撓みが生じた場合は、遅かれ早かれ、ねじ３の頭３１又は軸３２の上端部から受けるストレスによりねじ貫通孔の周囲が割れることになる。割れが生じると、デッキ材の支持部材に対する固着力が不十分になって、デッキ上を人が歩行する際に軋み音を発生したり、外来振動によりビビリ音を発生したりするなどの弊害が起きる。また、ねじの頭が上壁を打ち抜いた場合は、そのねじを抜き取って別の径の大きいねじをねじ込み直す必要があった。
【０００６】
上記の点に鑑み、図４に一例を示すように、補強壁１５1 ，１５2 の上壁１１と接続される部分にねじ３が貫通される空間側に張り出す肉厚増加部分（ハンチ部）１８を形成して、上壁のねじが貫通される部分の肉厚をねじが貫通されない部分の肉厚よりも厚くすることにより、ねじ３が上壁１１を打ち抜いたり、上壁に割れを生じたりする不都合を回避したデッキ材が提案された。
【０００７】
ところで、デッキ材の固着作業能率を高めるためには、デッキ材を図５に例示するように、上壁１１及び下壁１２と補強壁１５1 ，１５2 の接続される部分にねじ３が貫通される空間側に張り出す肉厚増加部分１８ａ，１８ｂを形成してデッキ材を上下対称形に成形することが、上下左右を選ばずに支持部材に載置して固着できるので好ましい。
【０００８】
しかしながら、前記提案に係るデッキ材は、肉厚増加部分が補強壁の上壁と接続される部分をねじが貫通される空間側に斜めに折り曲げ、又は補強壁と上壁とが湾曲面に沿って連続させて形成されているので、上部肉厚増加部分１８ａに貫通したねじの先端が下部肉厚増加部分１８ｂに到達した時に、そのねじの先端が下部肉厚増加部分の傾斜面によって下部肉厚増加部分１８ｂから逸れる方向に案内されてしまい、垂直状態を維持しながら貫通することが困難になり、ねじ込み作業が終わった時には、デッキ材の上面にねじ頭の鋭角部分が起立する事態が発生する恐れがある。
【０００９】
本発明は、上記の点に鑑みてなされたものであり、その課題は、補強壁の上壁及び下壁と接続される部分にねじが貫通される空間側に張り出す肉厚増加部分を形成した上下対称形のデッキ材において、ねじが確実に垂直状態を維持しながら肉厚増加部分を貫通できるようにすることにある。
【課題を解決するための手段】
【００１０】
上記課題を解決するため、本発明においては、補強壁の上壁及び下壁と接続される部分にねじが貫通される空間側に張り出す肉厚増加部分を形成した上下対称形のデッキ材において、上下の肉厚増加部分のねじが貫通される空間に臨む面にねじが貫通される線と交差する凹条が押出し成形により形成されていることを特徴としている。
【００１１】
上記構成により、上部肉厚増加部分を貫通して下部肉厚増加部分の傾斜面に到達したねじ先端は凹条に捕捉された状態で下部肉厚増加部分を貫通することができる。上壁及び下壁に予めねじ貫通孔が形成されている場合は、上壁のねじ貫通孔に貫通されたねじの先端が下壁の凹条によって下壁のねじ貫通孔に案内される。従って、ねじは終始垂直状態を維持しながら確実に支持部材に固着されるので、ねじが斜めになってねじの鋭利な頭がデッキ上面に露出することが回避される。そして、ねじ先端が肉厚増加部分の傾斜面を滑ってねじ貫通孔に挿入し難い事態の発生が軽減され、円滑なデッキ材固着作業が可能である。また、上壁のねじ貫通孔の周囲、とくにねじ軸貫通用垂直円形部分の周囲の肉厚が厚いので強度が増加されており、ねじの最終のねじ込み段階でねじ頭から加えられる力はその厚肉部分で受けられ、ねじの上壁打ち抜きや上壁の割れが防止される。
【発明の効果】
【００１２】
本発明によれば、デッキ材のねじ貫通部分の強度が増加されるのでねじの打ち抜きの不都合が回避されるとともに、上部肉厚増加部分を貫通したねじの先端は下部肉厚増加部分の凹条に案内されて垂直状態を維持しながら下部肉厚増加部分を貫通することができるので、ねじが斜めに貫通されてデッキ材の固着強度が低下したり、ねじの鋭利な頭がデッキ上面に露出したりすることが回避され、デッキ材固着作業効率も格段に向上する。
【発明を実施するための最良の形態】
【００１３】
次に、本発明の実施の形態について、図１を用いて説明する。
図１は本発明によるデッキ材の構造を示す断面図である。先の図面に示された構成部材に対応するものには同一の符号を用いる。
【００１４】
図１のデッキ材１Ｅは、アルミニウムなどの金属材料又は木質樹脂材料から押出し成形により長尺に作られており、上壁１１と下壁１２と両側壁１３，１４と、幅方向中間位置において上壁１１と下壁１２を連結する三つの補強壁１５1 ，１５2 ，１５3 と、各補強壁により区画された、押出し成形方向に直角な断面における面積がほぼ等しい空間１６とを有し、上下対称形である。
【００１５】
本発明に係るデッキ材１Ｅにおいては、上壁１１及び下壁１２と補強壁１５1 ，１５2 との接続部分が、図５のものと同様に、デッキ材を支持部材に固着する皿ねじ３が貫通される空間側に斜め又は湾曲状に張り出され（あるいは折曲げられ）て、上壁及び下壁の肉厚を実質的に増加する肉厚増加部分１８ａ，１８ａが形成されている。
【００１６】
そして、各肉厚増加部分１８ａ，１８ｂの空間に臨む面に、互いに対向する断面Ｖ字形又はＵ字形の凹条１９がデッキ材の押し出し成形時に形成されている。各肉厚増加部分１８ａ，１８ｂには、ねじ３を貫通する部分に予めねじ貫通孔１７が形成されてもよいが、その場合は、ねじ貫通孔１７はねじ軸貫通用の垂直円形部分１７ｂの軸芯が凹条１９の底部を貫通するように形成される。
【００１７】
上記のように、上下の壁１１，１２の補強壁１５1 ，１５2 との接続部分に形成された肉厚増加部分１８ａ，１８ｂに互いに対向する凹条１９が形成されているので、又はさらに、その凹条の底部を貫通するようにねじ貫通孔１７が形成されているので、デッキ材１Ｅを支持部材に固着するために上壁１１のねじ貫通孔１７に貫通された皿ねじ３の先端は、図１に鎖線で示すように、下壁１２の肉厚増加部分１８ｂに到達した時にその凹条１９の底部に案内され、捕捉されるため、ねじの先端を容易に下壁１２に、又はねじ貫通孔１７に貫通することができる。従って、デッキ材固着作業能率を著しく向上させることができる。また、ねじが斜めに貫通することが防止されるので、デッキ材の支持部材に対する固着強度の低下という不都合が回避され、皿ねじの鋭利な頭がデッキ上面に突出することもなく、デッキ上面の安全性が高まる。
【００１８】
なお、上壁１１及び下壁１２と補強壁１５1 ，１５2 との接続部分が皿ねじ３が貫通される空間側に斜めに又は湾曲状に張り出されあるいは折曲げられて、肉厚増加部分が形成されているので、又は、さらにその肉厚増加部分にねじ貫通孔１７が形成されているので、ねじ軸貫通用の垂直円形部分１７ｂの周囲が従来のデッキ材の場合よりも十分に大きい肉厚を有する。従って、支持部材に載せたデッキ材１のねじ貫通孔１７に皿ねじ３を貫通し支持部材にねじ込む際に、そのねじの頭３１が倒立頭截円錐形部分１７ａにぴったりと嵌合するように最終段階のねじ込みをする時にねじ頭３１からねじ貫通孔の周囲に加わる力が肉厚増加部分で受け止められる。従って、ねじ貫通孔の周囲に撓みや割れが生じたり、ねじ頭が打ち抜くことがない。
【００１９】
デッキ材１Ｅは、その幅寸法が比較的小さくて、支持部材に対する固着強度が確保されるならば、上下の壁１１，１２に厚肉増加部分１８ａ，１８ｂを形成する補強壁を、図１における幅方向中心に一つのみ設けた構造とすることもできる。
【産業上の利用可能性】
【００２０】
上述した本発明のデッキ材は、各種建築物の床部を構成する際に用いることが可能である。
【図面の簡単な説明】
【００２１】
【図１】本発明の一実施形態におけるデッキ材の形状を示す断面図。
【図２】従来のデッキ材の構成を示す一部の断面図。
【図３】図２の一部の拡大図。
【図４】従来のデッキ材の難点を解消するために提案されたデッキ材の一部の断面図。
【図５】上記提案されたデッキ材を上下対称形に形成する場合の一例を示す断面図。
【符号の説明】
【００２２】
１Ｅ        デッキ材
２          支持部材
３          皿ねじ
１１        上壁
１２        下壁
１３．１４  側壁
１５（１５1 ，１５2 ，１５3 ）  補強壁
１７        ねじ貫通孔
１８ａ，１８ｂ    肉厚増加部分
１９        凹条
【図１】
2005256288.tif 000003
【図２】
2005256288.tif 000004
【図３】
2005256288.tif 000005
【図４】
2005256288.tif 000006
【図５】
2005256288.tif 000007